(57)【特許請求の範囲】
【請求項１】
横枠と、水切り部材と、横枠と水切り部材との間に設けた受け材とを備え、横枠は、その室外側に、室外側に開口する取付部と取付部の上部に設けた被係止部と、取付部の下部に設けた載置部とを有し、受け材は、横枠の被係止部に係止する係止部を有し、係止部を横枠の被係止部に係止してあると共に横枠の載置部に載置した状態で、室内側部を横枠の取付部にねじで止めてあり、横枠と水切り部材とで形成された空間内に収まっており、水切り部材は、室外側から室内側へ向けて水平方向から受け材に係合して保持してあると共に上下方向から止めるねじで受け材に固定してあることを特徴とするサッシ。
【発明の詳細な説明】
【技術分野】
【０００１】
本発明は、サッシに関する。  
【背景技術】
【０００２】
特許文献１には、サッシを設けた躯体開口部の外壁に庇（水切り部材）を取り付けることが開示されている。  
【先行技術文献】
【特許文献】
【０００３】
【特許文献１】特開２０１２−２４１３５５号公報
【発明の概要】
【発明が解決しようとする課題】
【０００４】
しかし、外壁に水切り部材を取り付けるものは、外壁に対する雨仕舞が必要になるため、水切り部材の施工に手間がかかっていた。  
また、外壁がタイル仕上げの場合には、タイル仕上げする前に水切り部材を外壁に取り付ける必要があり、施工性が悪かった。  
【０００５】
そこで、本発明は、水切り部材の施工が容易にできるサッシの提供を目的とする。  
【課題を解決するための手段】
【０００６】
請求項１に記載の発明は、横枠と、水切り部材と、横枠と水切り部材との間に設けた受け材とを備え、横枠は、その室外側に、室外側に開口する取付部と取付部の上部に設けた被係止部と、取付部の下部に設けた載置部とを有し、受け材は、横枠の被係止部に係止する係止部を有し、係止部を横枠の被係止部に係止してあると共に横枠の載置部に載置した状態で、室内側部を横枠の取付部にねじで止めてあり、横枠と水切り部材とで形成された空間内に収まっており、水切り部材は、室外側から室内側へ向けて水平方向から受け材に係合して保持してあると共に上下方向から止めるねじで受け材に固定してあることを特徴とするサッシである。
本発明において、水切り部材は、サッシの上側に設ける庇や下側に設ける水切り部材である。  
【発明の効果】
【０００７】
請求項１に記載の発明によれば、受け材を横枠に取り付ける際、及び水切り部材を受け材に取り付ける際に仮固定でき、１人でも容易に施工できる。  
【図面の簡単な説明】
【０００８】
【図１】第１実施の形態にかかるサッシであって、（ａ）は（ｂ）に示すＡ部の拡大図であり、（ｂ）は縦断面図である。
【図２】図１（ｂ）に示すサッシのＥ−Ｅ断面図であって、室内側から見て右側部分を示す図である。
【図３】図１に示す受け材であって、（ａ）は縦断面図、（ｂ）は室外側からみた正面図である。
【図４】図１に示す水切り部材であって、（ａ）は縦断面図、（ｂ）は底面図である。
【図５】第１実施の形態にかかるサッシを室外側から見た正面図である。
【図６】第２実施の形態にかかるサッシであって、（ａ）は縦断面図、（ｂ）は（ａ）に示すＢ部の拡大図である。
【図７】図６（ａ）に示すサッシのＦ−Ｆ断面図であって、室内側から見て右側部分を示す図である。
【図８】第３実施の形態にかかるサッシであって、（ａ）は（ｂ）に示すＣ部の拡大図であり、（ｂ）は縦断面図である。
【図９】図８（ｂ）に示すサッシのＧ−Ｇ断面図であって、室内側から見て右側部分を示す図である。
【発明を実施するための形態】
【０００９】
以下に、本発明の実施の形態について説明するが、まず添付図面の図１〜図５を参照して本発明の第１実施の形態について説明する。  
図１及び図５に示すように、本実施の形態にかかるサッシ１は、躯体開口部２の内周側に設けてあり、上枠（横枠）３と、下枠５と左右の竪枠７、７を枠組みした枠９を備えており、枠９の内周には障子１１が取り付けてある。障子１１はＦＩＸ障子である。  
図１及び図２に示すように、上枠３、下枠５及び左右の竪枠７の各室内側部は躯体開口部２の内周側から止めるタッピングネジ１３で躯体開口部２に固定してあり、各枠３、５、７の室外側部は躯体開口部２の室外側面２ａに突設片１７を重ねて室外側から止めるタッピングネジ１５で固定してある。  
【００１０】
図１に示すように、上枠３には、水切り部材（庇）１９が受け材２１を介して取り付けてある。  
図１（ａ）に示すように、上枠３は、受け材２１を取り付ける取付部２３と、取付部２３の上部に設けた受け材被係止部２５と、取付部２３の下部に設けた受け材載置部２７とを一体に備えている。取付部２３は室外側に開口した溝状であり、受け材被係止部２５は溝の上側開口縁であり、受け材載置部２７は溝の下側開口縁である。  
取付部２３は突設片１７の室外側に設けてあり、取付部２３と躯体開口部２との間には空間Ｓ（図１（ｂ）参照）が形成してある。  
受け材被係止部２５は取付部２３の上側開口縁で下方に向けて突出して形成してある。受け材載置部２７は取付部２３の下側開口縁で上方に向けて突出して形成してある。  
【００１１】
図１及び図３に示すように、受け材２１は、室外側を開放した断面略コ字状であり、コ字を形成する上側片２１ａよりも下側片２１ｂの方が長く形成してある。上側片２１ａと下側片２１ｂとの間の室内側部が上枠３の取付部２３に取り付ける被取付部２１ｃとなっている。  
図３に示すように、被取付部２１ｃには上枠３の取付部２３に室外側から当接する上下の当接部３３、３３が形成してあり、上下の当接部３３、３３間にねじ挿通孔３５が形成してある。ねじ挿通孔３５は左右方向に間隔をあけて複数形成してあり、図１に示すように、被取付部２１ｃがねじ挿通孔３５に室外側から挿通した受け材固定ねじ（ねじ）３７で上枠３の取付部２３に固定している。  
上側片２１ａには上枠３の受け材被係止部２５の室内側に下から係止する枠係止部（係止部）３９が上方に向けて突設してあり、枠係止部３９は室内側に突設した鉤状としてある。  
上側片２１ａにおいて、枠係止部３９の室外側には、水切り部材１９に係合する水切り部材係合部４１が上方に突出して形成してある。  
受け材２１の下側片２１ｂには、上枠３の受け材載置部２７に載置する受け材被載置部４２が設けてあり、受け材被載置部４２の室外側には室外側から受け材載置部２７に当接して位置決めする位置決め部４３が下方に向けて突設してある。下側片２１ｂの室外側は肉厚に形成したねじ止め部４５が形成してある。また、ねじ止め部４５の室外側部には室内側端を室外側端よりも枠９の内周側に配置して面を室外側に向けて傾斜した傾斜面４５ａが形成してある。  
【００１２】
図１及び図４に示すように、水切り部材１９は、本体１９ａと、本体１９ａの室内側に突設した上側片１９ｂと下側片１９ｃとが設けてある。  
上側片１９ｂの室内側端には、受け材２１の水切り部材係合部４１に室内側から係合する抜け止め部４７が形成してある。抜け止め部４７は室外側端を室内側端よりも内周側に配置して面を室内側に向けて傾斜した傾斜面４７ａが形成してあり、上側片１９ｂを室外側から室内側へ水平方向に移動したときに傾斜面４７ａに沿って上側片１９ｂが弾性変形して水切り部材係合部４１を乗り越えた後、上側片１９ｂが弾性復帰して水切り部材係合部４１に係合するようにしてある。  
抜け止め部４７の室外側には、下方に向けて突設してあり、受け材２１の水切り部材被載置部４６に載置する水切り部材載置部４８が設けてある。  
水切り部材１９の下側片１９ｃは、受け材２１の下側片２１ｂの下に配置して、下から止める水切り部材固定ねじ（ねじ）５１をねじ挿通孔５４（図４参照）に挿通して水切部材１９の下側片１９ｃを受け部材２１の下側片２１ｂに固定してある。ねじ挿通孔５４は下側片１９ｃの長手方向に間隔をあけて設けてある。尚、下側片１９ｃにおいて、上方に突設しているのは、受け材２１の下側片２１ｂに下から当接する当接部５２である。  
水切り部材１９の本体１９ａには下側片１９ｃの上方で室内側に突設した規制片４９が設けてある。規制片４９は、受け材２１の下側片２１ｂの室外側端の上に位置して、水切り部材１９の下側片１９ｃをねじ５１で下から止めるときに、受け材２１の下側片２１ｂが上方に変位するのを規制している。  
尚、図２に示すように、水切り部材１９には、その左右端には小口キャップ５３が取り付けてある。  
【００１３】
次に、本実施の形態にかかるサッシの施工について説明する。  
図１及び図２に示すように、上枠３、下枠５、左右の竪枠７、７を枠組みした枠９を躯体開口部２の内周に配置して、枠９の室内側部をタッピングネジ１３で固定し、室外側部をタッピングネジ１５で躯体開口部２に固定する。尚、図１に示すように、上枠３では突設片１７を躯体開口部２の室外側面２ａに当てて突設片１７を室外側から固定する。  
次に、受け材２１の被取付部２１ｃを斜め下方に向けて傾斜させるようにして上枠３の取付部２３に配置し、上側片２１ａに形成してある枠係止部３９を上枠３の受け材被係止部２５の室内側に掛けて、受け材２１の室外側を下方に回動することで、枠係止部３９を上枠３の受け材被係止部２５に対して回動して係止すると共に下側片２１ｂの位置決め部４３を受け材載置部２７の室外側に当接させる。これにより、上枠３の受け材載置部２７に受け材被載置部４２を載置する。  
受け材２１は、枠係止部３９が上枠３の受け材被係止部２５に室内側から係止すると共に上枠３の受け材載置部２７に受け材被載置部４２が載置した状態となることで、上枠３に受け材２１が仮止めできるので受け材２１から手を放しても受け材２１が落下することなく、上枠３に保持できる。  
その後、受け材２１の被取付部２１ｃを室外側から止める受け材固定ねじ３７で上枠３の取付部２３に受け材２１をねじ固定する。  
【００１４】
次に、受け材２１の室外側において、水切り部材１９の本体１９ａを室外側に上側片１９ｂ及び下側片１９ｃを室内側にして、室外側から室内側へ水平方向から受け材２１に水切り部材１９を挿入する。これにより、水切り部材１９の上側片１９ｂでは、抜け止め部４７の傾斜面４７ａが受け材２１の水切り部材係合部４１の上端に当接した後、傾斜面４７ａに沿って上方に押圧されて上側片１９ｂが上方に弾性変形して水切り部材係合部４１を乗り越えた後、上側片１９ｂが弾性復帰して抜け止め部４７が水切り部材係合部４１に室内側から係合する。  
一方、水切り部材１９の下側片１９ｃでは、当接部５２が受け材２１のねじ止め部４５の傾斜面４５ａに当接しつつ、室内側へ移動することで、受け材２１の下側片２１ｂと水切り部材１９の下側片１９ｃが互いに離反するように弾性変形した後、当接部５２がねじ止め部４５を乗り越えた後、弾性復帰して、受け材２１の下側片２１ｂと水切り部材１９の下側片１９ｃとが重なって配置される。この状態で、受け材２１の下側片２１ｂの室外側端が規制片４９の下に配置される。  
これにより、水切り部材１９は受け材２１に仮止め状態になる。  
その後、仮止め状態のまま、下から止める水切り部材固定ねじ５１を水切り部材１９の下側片１９ｃのねじ挿通孔５４（図４参照）に挿通して、受け材２１の下側片２１ｂにねじ固定する。  
【００１５】
本実施の形態にかかるサッシ１によれば、受け材２１を上枠（横枠）３に取り付ける際、及び水切り部材１９を受け材２１に取り付ける際に共に仮固定でき、１人でも容易に施工できる。  
水切り部材１９は、室外側から室内側へ向けて水平方向から受け材２１に係合してあるから、水切り部材１９が取り付く周辺に外壁材やバルコニー等の干渉物があっても、それらに干渉することなく水切り部材１９を受け材２１に取り付けることができる。換言すれば、水切り部材１９は、サッシ枠９の外周側にはみ出ないで取り付けることができる。  
受け材２１を上枠３に受け材固定ねじ３７でねじ固定し、水切り部材１９は、室外側から室内側へ向けて水平方向から受け材２１に係合して仮固定したのち、枠９の内周側から水切り部材固定ねじ５１で固定できるので、水切り部材１９の施工やメンテナンスの際、室内側から水切り部材１９の取り外しや取り付けができるから、室外側に足場を設ける必要がない。  
【００１６】
受け材２１は、断面略コ字状であり、コ字を形成する上側片２１ａよりも下側片２１ｂの方が長くしてあるから、受け材２１の重心が長い方の下側片２１ｂの室外側端部側に位置することで、受け材２１が上枠３の受け材載置部２７を中心として枠係止部３９に作用する回転モーメントが受け材被係止部２５に係合する方向の回転モーメントとして作用するため、確実に仮止めできる。  
水切り部材１９には下側片２１ｂの上下方向の移動を規制する規制片４９を設けているので、水切り部材１９の下側片１９ｃを水切り部材固定ねじ５１で受け材２１の下側片２１ｂにねじ止めするときに、水切り部材固定ねじ５１によるねじ止めが容易にできる。  
受け材２１は、上側片２１ａに水切り部材載置部４８を載置する水切り部材被載置部４６を有しているので、受け材２１に対して、水切り部材１９を安定に仮止めすることができ、施工性に優れる。  
水切り部材１９は、水切り部材１９の室外側方向の抜けを防止する抜け止め部４７を有しているので、受け材２１に対して、水切り部材１９を仮止めした状態での抜けを防止できる。  
抜け止め部４７には、室外側端を室内側端よりも内周側に配置して面を室内側に向けて傾斜した傾斜面４７ａが形成されているので、水切り部材１９を室外側から室内側へ向けて水平方向から受け材２１に組み付けるときに、抜け止め部４７を弾性変形するように案内するから、抜け止め部４７と水切り部材係合部４１との係合が容易にできる。  
【００１７】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図６及び図７に、本発明の第２実施の形態にかかるサッシ１を示す。この第２実施の形態にかかるサッシ１では、水切り部材１９は下枠（横枠）５に取り付けていることが上述した第１実施の形態と異なっている。  
この第２実施の形態では、受け材２１は、上側片２１ａが下側片２１ｂよりも室外側に長く形成してあり、上側片２１ａに肉厚のねじ止め部４５が形成してあり、また水切り部材係合部４１は下側片２１ｂに形成してあり、抜け止め部４７は水切り部材１９の下側片１９ｃに形成してある。  
水切り部材１９には、受け材当接部５２が上側片１９ｂに設けてあり、受け材２１の上側片２１ａの室外側端に対応する位置に規制片４９が設けてある。  
水切り部材固定ねじ５１は、水切り部材１９を上から下方に向けて止めてある。  
尚、第２実施の形態では、障子１１は、引き違い障子である。  
その他の構成は、第１実施の形態と同様である。  
【００１８】
この第２実施の形態によれば、水切り部材１９を下枠５に取り付ける場合にも、上述した第１実施の形態と同様に、受け材２１を下枠（横枠）５に取り付ける際、及び水切り部材１９を受け材２１に取り付ける際に共に仮固定でき、１人でも容易に施工できるという効果を奏するほかに、第１実施の形態と同様の作用効果を奏することができる。  
【００１９】
図８及び図９を参照して、本発明の第３実施の形態について説明する。この第３実施の形態では、第１実施の形態において、タイル仕上げの躯体外壁にサッシを取り付けてある。この実施の形態では、枠９を躯体開口部２に取り付けた後に、タイル５５を施工している。  
上枠（横枠）３、上枠３に取り付ける受け材２１及び、受け材２１に取り付ける水切り部材１９の構成及び作用については、上述した第１実施の形態と同様の作用効果を奏することができる。  
また、水切り部材１９は、上枠３から食み出ないようにして、室外側から室内側へ向けて水平方向から受け材２１に係合して、取り付けできるから、タイル５５の施工前や施工後のいずれの時期でも上枠３に取り付けできる。  
【００２０】
本発明は、前述した実施の形態に限定されるものではなく、その要旨を逸脱しない範囲で種々変形可能である。  
第３実施の形態にかかるサッシ１のようにタイル仕上げの躯体外壁２に、第２実施の形態のように、下枠５に受け材２１及び水切り部材１９を設ける構成にしても良い。  
サッシ１は、ＦＩＸサッシや引戸サッシに限らず、開きサッシや上げ下げサッシでも良く、サッシ１の種類は限定されない。  
【符号の説明】
【００２１】
１    サッシ
３    上枠（横枠）
１９  水切り部材
２１  受け材
２１ｃ  被取付部（室内側部）
２３  取付部
２５  受け材被係止部（被係止部）
２７  受け材載置部（載置部）
３７  受け材固定ねじ（ねじ）
３９  枠係止部（係止部）
５１  水切り部材固定ねじ（ねじ）
【図１】
0006623034.tif 000002
【図２】
0006623034.tif 000003
【図３】
0006623034.tif 000004
【図４】
0006623034.tif 000005
【図５】
0006623034.tif 000006
【図６】
0006623034.tif 000007
【図７】
0006623034.tif 000008
【図８】
0006623034.tif 000009
【図９】
0006623034.tif 000010